(57)【要約】【課題】自動販売機本体と設置面との間の隙間を覆うことが可能であって、且つ汎用性のある自動販売機の隙間カバー装置を提供する。【解決手段】自動販売機本体１の底板２の前面の２本の脚１０に、脚１０に着脱可能な支持部材２０を介して覆板３０を下端が設置面に接するようにして設置する。地面と自動販売機本体１の間の隙間は覆板３０により覆われるので、硬貨等を落としても自動販売機本体１の下に入り込んでしまうことがない。また、つま先が入り込んで転倒することもない。【選択図】  図１
2004164243.tif 000002
【特許請求の範囲】
【請求項１】
複数の脚を介して設置面に設置される自動販売機本体と設置面との間に形成された隙間を覆うための自動販売機の隙間カバー装置であって、
前記脚の隣り合う少なくとも２つの脚に取り外し可能に取り付けられた支持部材と下端を設置面と接するように支持部材に支持された覆板とからなる
ことを特徴とする自動販売機の隙間カバー装置。
【請求項２】
前記脚は上下方向に長さを調節可能に設けた
ことを特徴とする請求項１記載の自動販売機の隙間カバー装置。
【請求項３】
前記覆板は上下方向に移動可能に支持部材に取り付けられた
ことを特徴とする請求項１又は２記載の自動販売機の隙間カバー装置。
【発明の詳細な説明】
【０００１】
【発明の属する技術分野】
この発明は、自動販売機本体と地面との隙間に硬貨等が入るのを防止する自動販売機の隙間カバー装置に関する。
【０００２】
【従来の技術】
従来の自動販売機においては、その下端が設置面と接触するように前垂板を自動販売機底板の前端部に固定したものが知られている（特許文献１参照）。
【０００３】
また、これとは別に、自動販売機の支持脚が底板から下方向に突き出す長さを調整可能にして凹凸のある地面に設置可能にしたものが知られている（特許文献２参照）。
【０００４】
【特許文献１】
特開平７−２２０１５２
【０００５】
【特許文献２】
特開２００２−４９９６１
【０００６】
【発明が解決しようとする課題】
しかしながら、上記特許文献１の自動販売機では、自動販売機の本体前端部に前垂板をその下端が設置面と接するように取り付けていた。このため、脚の長さの異なる自動販売機に該前垂板を取り付けようとすると、設置面と前垂板下端との間に隙間が生じてしまい、硬貨等を落としたときに自動販売機の隙間から自動販売機の下に入ってしまうことを完全に防止することはできず、汎用性に乏しかった。
【０００７】
また、上記特許文献２のような脚の長さの調節可能な自動販売機の底板前面に特許文献１記載の前垂板を設置する場合において、脚の長さを長めに調節すると、前垂板が設置面に接触されず、地面と自動販売機本体との隙間を完全に覆うことができなくなるおそれがあった。そのため、脚の長さの調節可能な自動販売機には、特許文献１記載のような前垂板を設置することができないという問題があった。
【０００８】
本発明は、上記事情に鑑みてなされたものであり、その目的とするところは、自動販売機本体と地面との間の隙間を覆うことが可能であって、且つ汎用性のある自動販売機の隙間カバー装置を提供することにある。
【０００９】
【課題を解決するための手段】
上記目的を達成するために、請求項１の発明では、複数の脚を介して設置面に設置される自動販売機本体と設置面との間に形成された隙間を覆うための自動販売機の隙間カバー装置であって、前記脚の隣り合う少なくとも２つの脚に取り外し可能に取り付けられた支持部材と下端を設置面と接するように支持部材に支持された覆板とからなるようにしている。
【００１０】
これにより、自動販売機の２本の脚に覆板の下端が自動販売機本体が設置される設置面に接して取り付けられる。
【００１１】
また、請求項２の発明では、請求項１記載の自動販売機の隙間カバー装置において、前記脚は上下方向に長さを調節可能に設けている。
【００１２】
これにより、下端を回して脚の長さを調節して、自動販売機本体全体の高さを調節することが可能な自動販売機においても覆板を設置することができる。
【００１３】
また、請求項３の発明では、請求項１又は２の自動販売機の隙間カバー装置において、前記覆板は上下方向に移動可能に支持部材に取り付けている。
【００１４】
これにより、支持部材に取り付けられる覆板の位置を上下方向に調整することができる。
【００１５】
【発明の実施の形態】
図１乃至図４は本発明の自動販売機の隙間カバー装置の一実施形態を示すもので、図１は本発明の隙間カバー装置が備わる自動販売機の全体斜視図、図２は本発明の要部の斜視図、図３は本発明に用いられる覆板の斜視図、図４は本発明の隙間カバー装置が備わる自動販売機の要部側面図である。
【００１６】
まず自動販売機の概略を図１を参照して説明する。この自動販売機は、自販機本体１と底板２と開閉自在な外扉３とを備え、地面等の設置面上に設置されている。また、底板２の下方には自動販売機本体１を支える脚１０が複数設けられている。自動販売機本体１前面下端には支持部材２０を介して覆板３０が設けられ、後述するように脚１０により地面と自動販売機本体１との間に形成された隙間が覆われている。
【００１７】
底板２は、自動販売機本体１の底部をなしている。この底板２の四角近傍にはそれぞれ孔が貫通して設けられている。この孔の内部には、図示しない雌ネジを備えたナット２ａが挿通され、後述する第１ネジ１１が填め込まれるようになっている。
【００１８】
脚１０は、図２に示すように、第１ネジ１１と脚１０の長さを調節する調節部１２と地面に接する円形状の受部１３とからなっている。第１ネジ１１は、外周に雄ネジを有し、底板２のナット２ａと螺合可能になっている。また、その下方に六角形状の調節部１２が設けられ、この調節部１２を工具等で回すと第１ネジ１１が上下方向に動くようになっている。調節部１２の下端には、地面と接して自動販売機本体１を支える受部１３が固定されている。この脚１０を底板２に取り付つけて、調節部１２を回してねじ込み量を調節すれば、脚１０の長さを個別に調節することができる。即ち、ねじ込み量を多くすれば底板２と地面との隙間が狭くなり、反対にねじ込み量を少なくすれば、隙間が広くなる。このようにして、脚１０の長さを調整して、凸凹の地面上にも安定した状態で自動販売機本体１を設置することが可能となっている。
【００１９】
支持部材２０は、覆板３０と接合される接合板２１と脚１０に係止される係止板２２とから構成されている。接合板２１は、覆板３０と第２ネジ３１でネジ止めされるためのネジ孔２１ａを有している。係止板２２には、第１ネジ１１が貫通され、且つ脚１０の調節部１２に嵌合する大きさの円形の切欠部２２ａが形成されている。切欠部２２ａは調節部１２の六角形の各頂点で係止されるようになっている。したがって、支持部材２０は切欠部２２ａを調節部１２に填め込むだけで着脱自在に取り付けるようになっている。
【００２０】
覆板３０は、図３に示すように、覆うべき隙間に合わせた長さであって、断面が略Ｌ字状の板で構成されている。長手方向の両端近傍に第２ネジ３１で支持部材２０に取り付けるためのネジ孔３２を有している。このネジ孔３２は、覆板３０が取り付けられる２本の自動販売機本体１の脚１０の間隔と等しい間隔で設けられている。このネジ孔３２と各脚１０に取り付けられた支持部材２０のネジ孔２１ａとを第２ネジ３１で取り付けて、覆板３０は支持部材２０を介して脚１０に設置されるようになっている。また、ネジ孔３２は、第２ネジ３１よりも縦方向に長く形成されており、第２ネジ３１が支持部材２０に取り付けられる位置をネジ孔３２の範囲で上下にずらして調整できるようになっている。即ち、例えば、地面が斜めに傾いている場合には、一方の第２ネジ３１をネジ孔３２の上端で支持部材２０の接合板２１に固定し、他方はネジ孔３２の下端で接合板２１に固定して、覆板３０を地面に併せて斜めに取り付けることも可能となっている。
【００２１】
以上のように構成された自動販売機の隙間カバー装置においては、図４に示すように、底板２のナット２ａに脚１０の第１ネジ１１を挿通し、脚１０を底板２に固定する。そして、脚１０の調節部１２に、支持部材２０の切欠部２２ａを係止して支持部材２０を脚１０に取り付ける。その後、ネジ孔３２に第２ネジ３１を貫通させてネジ止めする。そうすると、覆板３０は、下端が地面に接触するようにして、自動販売機本体１前面の２本の脚１０の下端に取り付けられる。
【００２２】
また、調節部１２を回して脚１０の長さを変更して、地面と自動販売機本体１の底板２との間に形成された隙間の高さを自由に調節することができる。このとき、覆板３０は、支持部材２０を介して第１ネジ１１の調節部１２に取り付けられているので、第１ネジ１１とともに上下方向に移動し、覆板３０の下端は地面に接触したままとなる。
【００２３】
このように、本実施形態によれば、地面に接するようにして自動販売機本体１の脚１０に覆板３０を取り付けて、自動販売機本体１と地面との間の隙間を確実に埋めることができる。このとき、覆板３０は、脚１０に取り付けられているので、自動販売機本体１の底板２の前面に直接取り付ける場合と異なり、自動販売機本体１と地面との隙間の大きさに係わらず、地面付近の隙間を確実に覆うことができる。さらに、覆板３０は自動販売機本体１の側面に設置することも容易である。したがって、側面にも設置すれば、硬貨等を落とした場合に側面から自動販売機本体１の下に入って取れなくなってしまうことがなくなる。
【００２４】
また、自動販売機本体１は、脚１０の調節部１２を回して個別に長さを調節して表面が凸凹の地面にも自動販売機本体１を設置できるようになっている。この場合でも、脚１０に地面に接するようにして覆板３０は取り付けられ、自動販売機本体１と地面との隙間を確実に埋めることができる。よって、硬貨等を落としても自動販売機本体１の下に入り込んで取れなくなってしまうことがない。
【００２５】
【発明の効果】
以上詳述したように、請求項１記載の発明によれば、自動販売機を支える脚の少なくとも２本に、覆板が下端を設置面に接するようにして取り付けられているので、設置面と自動販売機本体との隙間を確実に埋めることができる。このとき、必要に応じて自動販売機本体の前面だけでなく側面に覆板を取り付けたり、大きさの異なる自動販売機にも設置することができるので、汎用性を高めることができる。
【００２６】
また、請求項２の発明によれば、請求項１記載の効果に加え、自動販売機本体全体の高さを調節することが可能な自動販売機においても覆板を設置して、確実に自動販売機本体と設置面との隙間を覆うことが可能となる。したがって、硬貨等を落としても自動販売機本体と設置面との間に入り込んでしまうことがない。また、誤ってつま先が隙間に入り込んでしまうこともなくなるので、例えば、表面が平坦でない設置面に自動販売機が設置されていて利用者が転びやすい状況にあるときでも、利用者が靴を傷つけたり、転倒したりすることを防止することができる。このように、自動販売機がより一層使いやすくなるので、バリアフリーの向上を図ることができる。
【００２７】
また、請求項３の発明によれば、請求項１又は２記載の効果に加え、支持部材に取り付けられる覆板の位置を上下方向に調整して、屋外の表面が平坦でない地面にも確実に接するようにして覆板を取り付けることができる。したがって、さまざまな場所に設置される自動販売機に利用することができ、より一層汎用性を高めることができる。
【図面の簡単な説明】
【図１】本実施形態に係る自動販売機の全体斜視図
【図２】本実施形態に係る自動販売機の隙間カバー装置の要部斜視図
【図３】本実施形態に係る自動販売機の隙間カバー装置の覆板の斜視図
【図４】本実施形態に係る自動販売機の要部断面図
【符号の説明】
１…自動販売機本体、２…底板、１０…脚、１１…第１ネジ、２０…支持部材、３０…覆板。
【図１】
2004164243.tif 000003
【図２】
2004164243.tif 000004
【図３】
2004164243.tif 000005
【図４】
2004164243.tif 000006